(57)【要約】【課題】本考案の目的とするところは、美観に優れ、劣化し難い髪を結ったり袖口を留めたりするのに用い得る装身具を提供することにある。【解決手段】  本考案は、上記の課題を解決するためなされてものであり、その課題は、シリコンゴムを、一定の断面を有し、かつ、その断面中心線が閉曲線をなすよう無端に成型して成る、シリコンゴム製装身具（以下、単に装身具という。）によって解決される。閉曲線の形状及びシリコンゴムの断面形状は限定されない。【選択図】図1
0003140454.tif 000002
【実用新案登録請求の範囲】
【請求項１】
シリコンゴムを、一定の断面を有し、かつ、その断面中心線が閉曲線をなすよう無端に成型して成る、シリコンゴム製装身具。
【請求項２】
閉曲線の形状が、動物の輪郭形状である、請求項1に記載のシリコンゴム製装身具。
【請求項３】
閉曲線の形状が、植物の一部の輪郭形状である、請求項1に記載のシリコンゴム製装身具。
【請求項４】
閉曲線の形状が、人形の輪郭形状である、請求項1に記載のシリコンゴム製装身具。
【請求項５】
閉曲線の形状が、日用品の輪郭形状である、請求項1に記載のシリコンゴム製装身具。
【請求項６】
閉曲線の形状が、円である、請求項1に記載のシリコンゴム製装身具。
【請求項７】
断面が方形である、請求項1ないし6のいずれか一に記載のシリコンゴム製装身具。
【請求項８】
断面が円形である、請求項1ないし6のいずれか一に記載のシリコンゴム製装身具。
【請求項９】
断面が楕円形である、請求項1ないし6のいずれか一に記載のシリコンゴム製装身具。
【請求項１０】
所望の装飾が施された請求項1ないし9のいずれか一に記載のシリコンゴム製装身具。
【考案の詳細な説明】
【技術分野】
【０００１】
本考案は、結髪具や、袖口の留め具などに用い得る装身具に関する。
【背景技術】
【０００２】
従来、髪をポニーテールなどに結ったり、袖口を留めたりする場合、様々な輪ゴムや飾り紐が用いられている。
然しながら、従来の輪ゴムなどは、美観に乏しく、又劣化して、弛緩あるいは破断し易いという問題があった。
【考案の開示】
【考案が解決しようとする課題】
【０００３】
本考案の目的とするところは、美観に優れ、劣化し難いこの種の装身具を提供することにある。
【課題を解決するための手段】
【０００４】
本考案は、上記の課題を解決するためなされてものであり、その課題は、シリコンゴムを、一定の断面を有し、かつ、その断面中心線が閉曲線をなすよう無端に成型して成る、シリコンゴム製装身具（以下、単に装身具という。）によって解決される。
【０００５】
以下、図面により本考案の実施例に就いて説明する。
図1は、本考案に係る装身具の第1実施例を示す正面図、
図2は、図1に示した装身具のA−A断面図、
図3は、本考案に係る装身具の第2実施例を示す正面図
図4は、図3に示した装身具のＢ−Ｂ断面図、
図5は、本考案に係る装身具の第3実施例を示す正面図、
図６は、図5に示した装身具のＣ−Ｃ断面図、
図７は、本考案に係る装身具の第4実施例を示す正面図
図8は、本考案に係る装身具の第5実施例を示す正面図、
図9は、本考案に係る装身具の第6実施例を示す正面図
図10は、本考案に係る装身具の第7実施例を示す正面図
図11は、本考案に係る装身具の第8実施例を示す正面図。
図12は、本考案に係る装身具の第9実施例を示す正面図である。
【０００６】
図に示された装身具1、2、3、４、５、６、７は、全て、シリコンゴムを、一定の断面を有し、かつ、その断面中心線が閉曲線をなすよう無端に成型して成るものである。
【実施例１】
【０００７】
図1及び図2には、本考案に係る第1実施例が示されている。
図1において、1は装身具、11は髪などが通される空所であり、図2において、10は装身具1を形成するシリコンゴムの断面である。
この第1実施例では、シリコンゴムの断面は方形であり、その断面中心線が描く閉曲線の形状が、こうもりの輪郭形状となっている。
この空所11に髪を束ねて通すことができ、衣服を着けたまま腕を通せば、衣服の袖を留めることができる。
【実施例２】
【０００８】
図3及び図4には、本考案に係る第2実施例が示されている。
図中、2は装身具、20は装身具2を形成するシリコンゴムの断面である。
この第2実施例では、シリコンゴムの断面は楕円形であり、その断面中心線が描く閉曲線の形状が、果物又は野菜の輪郭形状となっている。
この装身具2でも、その中央の穴に髪を束ねて通すことができ、衣服を着けたまま腕を通して、衣服の袖を留めることができる。
【実施例３】
【０００９】
図5及び図6には、本考案に係る円環状の第3実施例が示されている。
図中、3は装身具、30は装身具3を形成するシリコンゴムの断面である。
この第3実施例では、シリコンゴムの断面は円形であり、その断面中心線が描く閉曲線は円形である。
この装身具3の中心孔の中に、髪を束ねて通すことができ、又、衣服を着けたまま腕を通せば、衣服の袖を留めることができる。
【実施例４】
【００１０】
図7に示す装身具4は、本考案の第4実施例で、人形形の装身具である。
【実施例５】
【００１１】
図8に示す装身具5は、第5実施例で、帽子形のものである。
【実施例６】
【００１２】
図9に示された装身具6は、本考案の第6実施例であり、抽象的な造形のものである。
【実施例７】
【００１３】
図10に示された装身具1'は、本考案の第7実施例である。この装身具1'は第1実施例の装身具1と同形であるが、その表面に"LUCKY BAT"の文字12と銅銭模様13が施されている。
これらの文字、模様は、印刷、シールの貼付、凹凸成型などの方法で施すことができる。
【実施例８】
【００１４】
図11に示された装身具7は、本考案の第8実施例である。この装身具7は猫を象ったもので、その表面に"LOVELY CAT"の文字71と亀甲模様72が施されている。
これらの文字、模様は、印刷、シールの貼付、凹凸成型などの方法で施される。
【実施例９】
【００１５】
図12に示された装身具８は、本考案の第8実施例で、長円形のものであり、その両端部にそれぞれ、飾り81、81が設けられている。
この飾り81は、本体部と一体に成型しても良く、又、本体部と別に製作したものを組み合わせるようにしても良い。
又、飾り81の形状は、造花、模造宝玉、人形、フィギュア、リボンなどとすることができ、これを取り付ける位置も適宜に定め得るものである。
【００１６】
尚、本考案の構成は、叙上の実施例に限定されるものでなく、例えば、閉曲線の形状は、任意に変更できるものであり、身近な動物、植物、身回品、人気の高いフィギュアなどの輪郭形態を採用でき、又完全な二次元曲線でなく三次元曲線であっても差し支えなく、更に、シリコンゴムの断面形状も自在に設計変更し得るものであり、更に、これに施す色彩、模様も自由に付すことができ、本考案は上記の説明から容易に想到し得る全ての変更例を包摂するものである。
【図面の簡単な説明】
【００１７】
【図１】本考案に係る装身具を示す正面図である。（第1実施例）
【図２】図1に示した装身具のA−A断面図である。
【図３】本考案に係る装身具を示す正面図である。（第2実施例）
【図４】図3に示した装身具のＢ−Ｂ断面図である。
【図５】本考案に係る装身具を示す正面図である。（第3実施例）
【図６】図5に示した装身具のＣ−Ｃ断面図である。
【図７】本考案に係る装身具を示す正面図である。（第4実施例）
【図８】本考案に係る装身具を示す正面図である。（第5実施例）
【図９】本考案に係る装身具を示す正面図である。（第6実施例）
【図１０】本考案に係る装身具を示す正面図である。（第7実施例）
【図１１】本考案に係る装身具を示す正面図である。（第8実施例）
【図１２】本考案に係る装身具を示す正面図である。（第9実施例）
【符号の説明】
【００１８】
1、2、3，4、5、6、7、8  装身具
【図１】
0003140454.tif 000003
【図２】
0003140454.tif 000004
【図３】
0003140454.tif 000005
【図４】
0003140454.tif 000006
【図５】
0003140454.tif 000007
【図６】
0003140454.tif 000008
【図７】
0003140454.tif 000009
【図８】
0003140454.tif 000010
【図９】
0003140454.tif 000011
【図１０】
0003140454.tif 000012
【図１１】
0003140454.tif 000013
【図１２】
0003140454.tif 000014